(57)【要約】【課題】机と、自立する棚とを組み合わせ、机を棚板の下方まで入り込ませた状態で使用する机と棚において、机と棚との連結作業の作業性を高めるとともに、自立強度を高めてレイアウトの自由度を高めることができる連結構造を提供する。【解決手段】机１の天板１１を、自立する棚２の棚板２８の下方まで入り込ませた状態で、机１と棚２とを連結する連結構造であって、棚２の前後の支柱２１，２２間に取り付けた左右の奥行ビーム２９，２９と、天板１１の左右側面１１Ａ，１１Ａへ取り付ける基部４及び奥行ビーム２９に掛止する掛止部５を有する左右の連結具３，３とを備える。机１を棚２内の所定位置に配置し、連結具３，３の掛止部５，５を奥行ビーム２９，２９に掛止した状態で、連結具３，３の基部４，４を天板１１の左右側面１１Ａ，１１Ａに取り付ける。【選択図】図３
2018079039.tif 000002
【特許請求の範囲】
【請求項１】
机の天板を、自立する棚の棚板の下方まで入り込ませた状態で、前記机と前記棚とを連結する連結構造であって、
前記棚の前後の支柱間に取り付けた奥行ビームと、
前記天板の左右側面へ取り付ける基部、及び前記奥行ビームに掛止する掛止部を有する連結具と、
を備え、
前記机を前記棚内の所定位置に配置し、前記連結具の掛止部を前記奥行ビームに掛止した状態で、前記連結具の基部を前記天板の左右側面に取り付けることを特徴とする、
机と棚との連結構造。
【請求項２】
前記奥行ビームは、上面に掛止穴を有し、
前記連結具は、前記基部から左右方向外方へ延びる水平延出部を有し、
前記掛止部は、前記水平延出部の先端から下方へ折れ曲がるものであり、
前記机を前記棚内の所定位置に配置し、前記掛止部を前記掛止穴に上方から挿入して前記水平延出部を前記奥行きビームの上面に載せた状態で、前記基部を前記天板の左右側面に螺着する、
請求項１記載の机と棚との連結構造。
【請求項３】
前記掛止穴が前後方向のスリット穴であり、
前記掛止部は、前記スリット穴内に挿入する、垂直板部、及び前記垂直板部の前端部から前方へ延びる前延出板部、又は前記垂直板部の後端部から後方へ延びる後延出板部からなり、
前記スリット穴を通して、前記前延出板部又は前記後延出板部、及び前記垂直板部を挿入し、前記水平延出部を前記奥行きビームの上面に載せた状態では、前記奥行ビームの下面の下方に前記前延出板部又は前記後延出板部が位置する、
請求項１又は２記載の机と棚との連結構造。
【請求項４】
前記奥行ビームの掛止穴を、前記棚の前後の支柱間の左右に並設し、前記奥行ビームを挟んで、前記支柱の左右両側に前記机を連結可能に構成してなる、
請求項２又は３記載の机と棚との連結構造。
【発明の詳細な説明】
【技術分野】
【０００１】
本発明は、研究室若しくは実験室、又は執務室等で使用する机と、書棚又は収納棚とを組み合わせて使用する際に、それらを連結する連結構造に関する。
【背景技術】
【０００２】
研究室若しくは実験室、又は執務室等で使用する机と、書棚又は収納棚とを組み合わせて使用し、机の天板上に棚板等を支持する支柱を設けないようにして、天板上のスペースを有効活用できるようにしたものがある（例えば、特許文献１〜３、及び非特許文献１参照）。
【０００３】
特許文献１及び２の構成は、机（作業台２、机１）の背面側に、自立する棚（棚装置１、収納棚２）を設置している。
机と棚との連結は、例えば特許文献１に構成では、机（作業台２）の脚板１８，１８の後端間に連結した後枠体１９の両端後縁に延設した連結片２３，２３を、棚（棚装置１）の支柱３，３の内面側にネジ止めしている。
【０００４】
特許文献３及び非特許文献１の構成は、机の天板を棚板の下方まで入り込ませたものであり、平面スペースを小さくできる。
特許文献３の構成は、机（デスク本体１０）の背面側に、自立しない棚（ラック装置２０）を設置し、棚の左右の支柱２１，２１の下端部２１ａ，２１ａを下部ジョイント部材２５，２５により脚体１１，１１に連結し、支柱２１，２１の中間部２１ｂ，２１ｂを中間部ジョイント部材２６，２６により机の天板１２に連結している。
非特許文献１の「Ｌａｂｏデスク（デスク天板付）」は、自立する棚に天板を固定したものであり、非特許文献１の「Ｌａｂｏラック（ラックのみ）」は、既存の机と組み合わせて使用するものである。
【先行技術文献】
【特許文献】
【０００５】
【特許文献１】特開平１１−１３６８１５号公報
【特許文献２】特開２０００−２５４５２５号公報
【特許文献３】特開２０１３−１８３７９５号公報
【非特許文献】
【０００６】
【非特許文献１】"Laboデスク・ラック"、金剛株式会社のウェブページ、［online］、［平成２８年１１月８日検索］、インターネット＜URL:http://www.kongo-corp.co.jp/product/rackshelves/labo.html＞
【発明の概要】
【発明が解決しようとする課題】
【０００７】
以上のような従来の机と棚とを組み合わせて使用する形態の中で、机と棚とを連結するものにおいて、例えば、特許文献１の構成では、脚板後端間に後枠体を連結し、後枠体の両端後縁に延設した連結片を、棚の支柱にネジ止めする連結構造であるので、机と棚との連結作業の作業性を高めるとともに、レイアウトの自由度を高めるという観点で見ると改良の余地がある。
【０００８】
また、机の天板を棚板の下方まで入り込ませて平面スペースを小さくする構成において、例えば、特許文献３の構成では、棚が自立するものではなく、机と棚との連結を下部ジョイント部材及び中間部ジョイント部材により行う連結構造であるので、机と棚との連結作業の作業性を高めるとともに、レイアウトの自由度を高めるという観点で見ると改良の余地がある。
さらに、机の天板を棚板の下方まで入り込ませて平面スペースを小さくする構成において、例えば、非特許文献１の「Ｌａｂｏデスク（デスク天板付）」は、自立する棚に天板を固定したものであるので、自立強度を高めてレイアウトの自由度を高めるという観点で見ると改良の余地がある。
【０００９】
そこで、本発明は、机と、自立する棚とを組み合わせ、机を棚板の下方まで入り込ませた状態で使用する机と棚において、机と棚との連結作業の作業性を高めるとともに、自立強度を高めてレイアウトの自由度を高めることができる連結構造を提供することを目的とする。
【課題を解決するための手段】
【００１０】
本発明に係る机と棚との連結構造は、前記課題解決のために、机の天板を、自立する棚の棚板の下方まで入り込ませた状態で、前記机と前記棚とを連結する連結構造であって、
前記棚の前後の支柱間に取り付けた奥行ビームと、
前記天板の左右側面へ取り付ける基部、及び前記奥行ビームに掛止する掛止部を有する連結具と、を備え、
前記机を前記棚内の所定位置に配置し、前記連結具の掛止部を前記奥行ビームに掛止した状態で、前記連結具の基部を前記天板の左右側面に取り付けることを特徴とする（請求項１）。
【００１１】
このような構成によれば、机の天板を棚板の下方まで入り込ませたものであるので、平面スペースを小さくできる。
その上、棚の前後の支柱間に取り付けた奥行ビームに連結具の掛止部を掛止した状態で、連結具の基部を机の天板の左右側面に取り付けることにより机と棚との連結が完了する。
よって、作業しやすい高さで机と棚との連結作業を容易に行うことができるので、机と棚との連結作業の作業性を向上できる。
その上さらに、前記連結を解除して机と棚とを分離する作業も容易であるので、レイアウト変更の際に移設しやすい。
その上、棚の前後の支柱間に取り付けた奥行ビームは、机と棚とを連結する機能に加え、棚を補強する機能も有する。そして、自立する机の天板の左右が、自立する棚の前後の支柱間に固定されることから、自立強度が高くなるのでレイアウトの自由度を高めることができる。
【００１２】
ここで、前記奥行ビームは、上面に掛止穴を有し、
前記連結具は、前記基部から左右方向外方へ延びる水平延出部を有し、
前記掛止部は、前記水平延出部の先端から下方へ折れ曲がるものであり、
前記机を前記棚内の所定位置に配置し、前記掛止部を前記掛止穴に上方から挿入して前記水平延出部を前記奥行きビームの上面に載せた状態で、前記基部を前記天板の左右側面に螺着するのが好ましい実施態様である（請求項２）。
【００１３】
このような構成によれば、連結具の掛止部を奥行ビーム上面の掛止穴に挿入し、連結具の水平延出部を奥行ビームに載せた状態で、連結具の基部を天板の左右側面に螺着することにより机と棚との連結が完了するので、机と棚との連結作業の作業性がさらに向上する。
【００１４】
また、前記掛止穴が前後方向のスリット穴であり、
前記掛止部は、前記スリット穴内に挿入する、垂直板部、及び前記垂直板部の前端部から前方へ延びる前延出板部、又は前記垂直板部の後端部から後方へ延びる後延出板部からなり、
前記スリット穴を通して、前記前延出板部又は前記後延出板部、及び前記垂直板部を挿入し、前記水平延出部を前記奥行きビームの上面に載せた状態では、前記奥行ビームの下面の下方に前記前延出板部又は前記後延出板部が位置するのが一層好ましい実施態様である（請求項３）。
【００１５】
このような構成によれば、机と棚とを連結した状態で、奥行ビームの下面の下方に、掛止部の前延出板部又は後延出板部が位置することから、前延出板部又は後延出板部の上面が奥行ビームの下面に当て止めされるので、奥行ビームに対して掛止部が確実に抜け止めされる。
よって、地震動等により上下方向に加振された場合であっても、机と棚とが連結した、自立強度の高い状態を維持できる。
【００１６】
さらに、前記奥行ビームの掛止穴を、前記棚の前後の支柱間の左右に並設し、前記奥行ビームを挟んで、前記支柱の左右両側に前記机を連結可能に構成してなるのがより一層好ましい実施態様である（請求項４）。
【００１７】
このような構成によれば、前後の支柱を共用して左右に棚を並設した各棚に対して、机を容易に連結することができ、それにより自立強度がさらに高くなるので、レイアウトの自由度をさらに高めることができる。
その上、棚の左右方向外方に位置する机を棚に固定することもできるので、自立強度及びレイアウトの自由度がより向上する。
【発明の効果】
【００１８】
以上のとおり、本発明に係る机と棚との連結構造によれば、主に以下のような作用効果を奏する。
（１）棚の前後の支柱間に取り付けた奥行ビームに連結具の掛止部を掛止した状態で、連結具の基部を机の天板の左右側面に取り付けることにより机と棚との連結が完了することから、作業しやすい高さで机と棚との連結作業を容易に行うことができるので、机と棚との連結作業の作業性を向上できる。
（２）棚を補強する機能を有する奥行ビームと天板とを連結具を介して連結固定し、自立する机の天板の左右が自立する棚の前後の支柱間に固定されることから、自立強度が高くなるのでレイアウトの自由度を高めることができる。
【図面の簡単な説明】
【００１９】
【図１】本発明の実施の形態に係る机と棚との連結構造を適用した机と棚を示す斜視図である。
【図２】同じく要部拡大図である。
【図３】机と棚とを分離した状態を示す部分分解斜視図である。
【図４】奥行ビームへの連結具の取付方法を示す要部拡大斜視図であり、（ａ）は取付前の状態、（ｂ）は取付後の状態を示している。
【図５】本発明の実施の形態に係る机と棚との連結構造における主要部を示す要部拡大部分分解斜視図であり、机への連結具の取付方法を示している。
【図６】机と棚を左右に並設した例を示す斜視図であり、サイドパネル及び側面パネルを取り付けた例を示している。
【図７】図６の構成例において、さらに、支柱間カバー及び支柱間塞ぎパネルを一部に取り付けた例を示す斜視図である。
【図８】サイドパネルを前支柱に取り付けた状態を示す斜視図である。
【図９】サイドパネル及びその周りの部品を示す分解斜視図である。
【図１０】サイドパネルを前支柱に取り付けた状態を示す要部拡大横断面平面図である。
【図１１】棚の側面への側面パネルの取付方法を示す要部拡大部分分解斜視図である。
【図１２】棚の側面に側面パネルを取り付けた状態を示す要部拡大横断面平面図である。
【図１３】同じく縦断面正面図である。
【図１４】レイアウトの一例を示す概略平面図である。
【図１５】レイアウトの他の一例を示す概略平面図である。
【図１６】レイアウトの他の一例を示す概略平面図である。
【図１７】レイアウトの他の一例を示す概略平面図である。
【図１８】側面パネルに取り付けるオプションの例を示す側面図である。
【図１９】通常テーブルを島エンド部に配置してモニターを載置した例を示す側面図である。
【図２０】ハイテーブルを島エンド部に配置してモニターを載置した例を示す側面図である。
【発明を実施するための形態】
【００２０】
次に、添付図面に示した実施形態に基づき、本発明を更に詳細に説明する。
本明細書において、机の手前側を前、机の奥側を後、後方へ向かった状態で左右を定義する。また、前方から見た図を正面図とする。
【００２１】
＜机＞
図１〜図３に示すように、本発明の実施の形態に係る机１は、例えば鋼製であり、天板１１、左右の脚板１２，１２、及び幕板１３を有する。
天板１１の左右側面１１Ａ，１１Ａには、連結具３，３を取り付けるための螺孔１１Ｂ，１１Ｂを有する。
なお、棚２を机１と組み合わせて使用しない場合、すなわち机１を独立して使用する際には、側面１１Ａの螺孔１１Ｂの周りに、図５に示すカバー１４を装着する。
机１に連結具３，３を取り付ける際には、図３及び図５に示すようにカバー１４，１４を取り外す。そして、図１及び図２のように机１に連結具３，３を取り付けた後、連結具３，３の周りには、図示しない切欠き付きのカバーを装着する。
【００２２】
＜棚＞
図１〜図３に示すように、本発明の実施の形態に係る棚２は、例えば鋼製であり、左右の前支柱２１，２１、及び左右の後支柱２２，２２、天板２３、左右の後支柱２２，２２の下端部を繋ぐ間口ビーム２４、前支柱２１及び後支柱２２の下端部を繋ぐ左右の下奥行ビーム２５，２５、並びに背面パネル２６，２６を有する。
また、棚２は、前後の支柱２１，２２間に取り付けた棚受２７，２７，…、及び左右の棚受２７，２７に支持された棚板２８を有する。ここで、棚受２７は、支柱２１（２２）の上下の掛止穴２１Ａ，２１Ａ（２２Ａ，２２Ａ）に、図１３のように掛止片２７Ａ，２７Ｂを掛止することにより、支柱２１，２２に取り付ける。
棚板２８の個数は、図１及び図３のような２個に限定されない。棚受２７，２７，…と組み合わせて所要個数の棚板２８，２８，…を支柱２１，２２に取り付けることができる。
なお、棚２を机１と組み合わせて使用しない場合は、図１における机１が入る棚２の下部にも、棚板２８を配置できる
【００２３】
棚２の前後の支柱２１，２２には、上下方向の中間位置に、奥行ビーム２９を取り付ける。
図４（ａ）に示すように、前後の支柱２１，２２間の左側の奥行ビーム２９は、前端部上下の掛止片２９Ｄ，２９Ｄを、前支柱２１の掛止穴２１Ａ，２１Ａに左方から挿入するとともに、後端部上下の掛止片２９Ｄ，２９Ｄを、後支柱２２の掛止穴２２Ａ，２２Ａに左方から挿入することにより、前後の支柱２１，２２に取り付ける。
同様に、図５に示す前後の支柱２１，２２間の右側の奥行ビーム２９は、前端部上下の掛止片２９Ｄ，２９Ｄを、前支柱２１の掛止穴２１Ａ，２１Ａに右方から挿入するとともに、後端部上下の掛止片２９Ｄ，２９Ｄを、後支柱２２の掛止穴２２Ａ，２２Ａに右方から挿入することにより、前後の支柱２１，２２に取り付ける。
【００２４】
このように一対の奥行ビーム２９，２９を前後の支柱２１，２２間に取り付けた状態を示す図５において、奥行ビーム２９，２９の通孔２９Ｅ，２９Ｅに取付ねじ１０Ａを挿入してナット１０Ｂに螺合する。そして、取付ねじ１０Ａ及びナット１０Ｂの頭部には、キャップ２０，２０を装着する（図２も参照）。
図２及び図５に示すように、一対の奥行ビーム２９，２９は、それらの上面２９Ａ，２９Ａに、掛止穴である前後方向のスリット穴２９Ｃ，２９Ｃを有する。
なお、前後の支柱２１，２２間に、左方及び右方から一対の奥行ビーム２９，２９を取り付けて、スリット穴２９Ｃ，２９Ｃを左右に並設する構成ではなく、一つの奥行ビームの上面にスリット穴２９Ｃ，２９Ｃを左右に並設するようにしてもよい。
【００２５】
＜連結具＞
図４（ａ）に示すように、連結具３は、例えば鋼製であり、基部４、及び奥行ビーム２９に掛止する掛止部５、及び基部４から左右方向外方へ延びる水平延出部６を有する。
掛止部５は、水平延出部６の左右方向外方の先端から下方へ折れ曲がるものであり、奥行ビーム２９のスリット穴２９Ｃ内に挿入する、垂直板部７、及び垂直板部７の前端部から前方へ延びる前延出板部８からなる。なお、前延出板部８の代わりに、垂直板部７の後端部から後方へ延びる後延出板部を設けてもよい。
【００２６】
＜机と棚との連結＞
机１は、図１及び図２に示すように、天板１１を、自立する棚２の棚板２８の下方まで入り込ませた状態が、棚２内の所定位置である。その所定位置で、机１の天板１１を、棚２の左右の奥行ビーム２９，２９に、左右の連結具３，３を用いて連結固定する。
【００２７】
図４（ａ）に示す連結具３を、水平延出部６が前下がり傾斜するように、前延出板部８を垂直板部７よりも下降させた状態とし、前延出板部８から奥行ビーム２９のスリット穴２９Ｃに挿入する。その後、図４（ｂ）に示すように、水平延出部６を水平に戻し、水平延出部６が奥行きビーム２９の上面２９Ａに載った状態にする。
その状態で、図１及び図２に示す棚２内の所定位置にある机１に対し、図５に示す取付ねじ９を図４（ｂ）に示す通孔４Ａに挿入し、天板１１の側面１１Ａの螺孔１１Ｂに螺合する。
このように、机１の天板１１の左右の側面１１Ａ，１１Ａに、棚２の左右の奥行ビーム２９，２９に掛止した連結具３，３を螺着することにより、机１と棚２は強固に連結される。
【００２８】
以上のように連結具３，３により連結された机１及び棚２は、机１の天板１１を棚板２８の下方まで入り込ませたものであるので、平面スペースを小さくできる。
また、棚２の左右の前支柱２１及び後支柱２２間に取り付けた左右の奥行ビーム２９，２９に左右の連結具３，３の掛止部５，５を掛止した状態で、連結具３，３の基部４，４を机１の天板１１の左右側面１１Ａ，１１Ａに取り付けることにより机１と棚２との連結が完了する。
特に、本実施の形態では、左右の連結具３，３の掛止部５，５を左右の奥行ビーム２９，２９上面２９Ａ，２９Ａの掛止穴２９Ｃ，２９Ｃに挿入し、連結具３，３の水平延出部６，６を奥行ビーム２９，２９に載せた状態で、連結具３，３の基部４，４を天板１１の左右側面１１Ａ，１１Ａに螺着することにより机１と棚２との連結が完了するので、机１と棚２との連結作業の作業性が非常に高くなる。
【００２９】
よって、作業しやすい高さで机１と棚２との連結作業を容易に行うことができるので、机１と棚２との連結作業の作業性を向上できる。
さらに、前記連結を解除して机１と棚２とを分離する作業も容易であるので、レイアウト変更の際に移設しやすい。
さらにまた、棚２の前後の支柱２１，２２間に取り付けた奥行ビーム２９は、机１と棚２とを連結する機能に加え、棚２を補強する機能も有する。そして、自立する机１の天板１１の左右が、自立する棚２の前後の支柱２１，２２間に固定されることから、自立強度が高くなるのでレイアウトの自由度を高めることができる。
また、机１と棚２が連結した状態では、図４（ｂ）に示すように、奥行ビーム２９の下面２９Ｂの下方に、連結具３の掛止部５の前延出部８が位置する。
したがって、前延出板部８の上面８Ａが奥行ビーム２９の下面２９Ｂに当て止めされるので、奥行ビーム２８に対して掛止部５が確実に抜け止めされる。
よって、地震動等により上下方向に加振された場合であっても、机１と棚２とが連結した、自立強度の高い状態を維持できる。
【００３０】
＜構成例＞
図５に示すように、棚２の前後の支柱２１，２２間に取り付けた一対の奥行ビーム２９，２９には、掛止穴である前後方向のスリット穴２９Ｃ，２９Ｃが左右に並設されている。
よって、例えば図６及び図７のように前後の支柱２１，２２を共用して左右に棚２，２，２を並設した各棚２に対して、連結具３，３を用いて机１を容易に連結することができ、それにより自立強度がさらに高くなるので、レイアウトの自由度をさらに高めることができる。
その上、棚２の左右方向外方に位置する机１（例えば、図１の机１の左方又は右方に位置する、図示しない別の机１）を、連結具３を用いて棚２に固定することもできるので、自立強度及びレイアウトの自由度がより向上する。
図６及び図７の構成例は、前後の支柱２１，２２を共用して、左右に３連の棚２，２，２を並設して机１，１，１を連結したものにおいて、棚２にサイドパネル３１及び側面パネル１７，１８を取り付けた例を示している。
また、図７は、図６の構成例において、さらに、支柱間カバー１５及び支柱間塞ぎパネル１６を一部に取り付けた例を示している。
【００３１】
＜サイドパネルの取付け＞
図６及び図８に示すように、サイドパネル３１は、棚２の前支柱２１に取り付ける。
図９及び図１０に示すように、取付金具３２の上下の通孔３２Ａ，３２Ａ及び前支柱２１の上下の通孔２１Ｂ，２１Ｂ、並びに平座金３５Ａ，３５Ａに取付ねじ３４，３４を挿通してナット３５，３５に螺合することにより、前支柱２１に取付金具３２を取り付ける。
また、サイドパネル３１の下面には巾木３３をタッピングねじ３９，３９により取り付けるとともに、前端部下面にアジャスター４０を取り付ける。
サイドパネル３１の後端部を取付金具３２内に挿入し、取付金具３２の通孔３２Ｂ、サイドパネル３１の通孔３１Ａ、及び取付金具３２の通孔３２Ｃに取付ねじ３６を挿通してナット３７を螺合する。そして、取付ねじ３６及びナット３７の頭部には、キャップ３８，３８を装着する。
以上の作業により、サイドパネル３１の取付けが完了する。
【００３２】
＜側面パネルの取付け＞
図６及び図１１に示すように、側面パネル１７，１８は、棚２の側面の前支柱２１及び後支柱２２に取り付ける。上下の側面パネル１７，１８の取付方法は、図１１〜図１３に示す取付金具１９を用いて行う同様の方法であるので、上側の側面パネル１７の取付方法について説明する。
以下において、棚２の右側側面への側面パネル１７について説明する。棚２の左側側面への側面パネル１７の取付けでは、以下の説明における左右方向が反対になる。
図１３に示すように、取付金具１９は、正面視略Ｈ状であり、左右方向中央の連結部１９Ａを挟んで、左方に、上方突出片１９Ｂ及び下方突出片１９Ｄがあり、右方に、上方突出片１９Ｃ及び下方突出片１９Ｅを有する。
【００３３】
図１１〜図１３に示すように、前後の取付金具１９，１９を、前支柱２１の掛止穴２１Ａ、及び後支柱２２の掛止穴２２Ａを利用して、前支柱２１及び後支柱２２に取り付ける。
すなわち、取付金具１９を左方前倒れ傾斜させ、上方突出片１９Ｂを掛止孔２１Ａ（２２Ａ）挿入した後、前記前倒れ傾斜の傾きを無くすように垂直に戻しながら下方突出片１９Ｄを掛止孔２１Ａ（２２Ａ）に挿入する。その状態で取付金具１９を下方に移動させると、図１３のように、掛止孔２１Ａ（２２Ａ）の下端縁の壁に連結部１９Ａが当止され、前記壁の下方裏側（左側）に下方突出片１９Ｄが位置し、前記壁の下方表側（右側）に下方突出片１９Ｅが位置するとともに、掛止孔２１Ａ（２２Ａ）の上端縁の壁の上方裏側（左側）に上方突出片１９Ｂが位置する。
それにより、前後の取付金具１９，１９は、支柱２１，２２により抜け止めされ、安定支持された状態となり、取付金具１９，１９の上方突出片１９Ｃ，１９Ｃが、支柱２１，２２の表側（右側）に位置する。
よって、取付金具１９，１９の上方突出片１９Ｃ，１９Ｃが、側面パネル１７の前後の掛止穴１７Ａ，１７Ａに入るように、側面パネル１７を棚２の側面に近づけて落とし込むことにとり、側面パネル１７の取付けが完了する。
【００３４】
＜レイアウト例＞
以上のような本発明の実施の形態に係る机１と棚２との連結構造によれば、前記のとおり、自立強度が高くなるのでレイアウトの自由度が高くなる。また、レイアウト変更の際の移設も容易である。
【００３５】
図１４のレイアウト例は、図６のような３連の棚２，…に机１，…を組み合わせたものを対向させて配置し、それらの２群の間を、例えば通路である領域Ａとしたものである。
ここで、離間している棚２，２，…の支柱２１，２２の上面を転倒防止用の連結杆３０，３０で繋いでいるが、本発明の実施の形態に係る机１と棚２との連結構造は自立強度が高いので、要求仕様によっては連結杆３０，３０を無くしてもよい。
また、前記領域Ａを区切る棚２，２の間隔を広げて、領域Ａをミーティングスペース等として使用してもよい。その場合には、棚２，２の背面パネルはホワイトボードパネルとするのが好適である。
【００３６】
図１５のレイアウト例は、図６のような３連の棚２，…に机１，…を組み合わせたものを、棚２，２の背面同士を合わせるように配置したものである。
側面パネル１７をホワイトボードパネルとしたり、側面パネル１７に沿わせてテーブル等を配置して、島エンド部をコミュニケーションスペースとして使用できる。
【００３７】
図１６のレイアウト例は、図６のような３連の棚２，…に机１，…を組み合わせたものを、間隔を広く空けて対向させて配置し、それらの中間位置に３連の棚２，…を離間させて２列配置したものである。
中間位置の２列の棚の間の領域Ｂに前記棚の前面が向いている場合は、領域Ｂは書庫スペースとなる。その場合の中間位置の２列の棚の背面パネルはホワイトボードパネルとするのが好適である。
中間位置の２列の棚の間の領域Ｂに前記棚の背面が向いている場合は、中間位置の２列の棚の背面パネルを例えばホワイトボードパネルとして、領域Ｂを、図１４における前記領域Ａと同様の態様で使用できる。
【００３８】
図１７のレイアウト例は、図６のような３連の棚２，…に机１，…を組み合わせたものを対向させて配置し、棚２の背面側の端部に、棚２に机１を組み合わせたものを、直交させて配置したものであり、領域Ｃは、創作活動等に適したブース等として使用できる。
【００３９】
以上のレイアウト例では、主に３連の棚２，…に机１，…を組み合わせたものを用いた例を示したが、本発明の机１と棚２との連結構造を用いて棚２に机１を組み合わせたものは、図１７の領域Ｃのように一つの棚２に一つの机１を組み合わせたものであってもよいし、２連又は４連以上の棚２，…に机１，…を組み合わせたものであってもよい。
【００４０】
図１５のような棚２，…に机１，…を組み合わせたものを、棚２，２の背面同士を合わせるように配置したものにおいて、図１８〜図２０のように、側面パネル１７に、モニター４１Ａ，４１Ｂや上下の電源コンセント４２Ａ，４２Ｂを取り付けたり、側面パネル１７，１８に沿わせてテーブル４３，４４を設置し、それらを組み合わせて使用してもよい。
例えば、上下の電源コンセント４２Ａ，４２Ｂの高さとしては、テーブルの高さよりも少し高い位置が好適であり、通常テーブル４３、ハイテーブル４４など、組み合わせて使用するテーブルに対応させた位置に、電源コンセント４２Ａ，４２Ｂを設ける。
図１９に示すように、例えば通常テーブル４３を組み合わせて使用する場合には、通常テーブル４３の高さが７２０ｍｍであれば、下コンセント４２Ｂの位置は、高さ７７０ｍｍ〜８２０ｍｍが好適な範囲である。
また、図２０に示すように、例えばハイテーブル４４を組み合わせて使用する場合には、ハイテーブル４４の高さが１０００ｍｍであれば、上コンセント４２Ａの位置は、高さ１０５０ｍｍ〜１１００ｍｍが好適な範囲である。
さらに、図１８のようにモニター４１Ａを側面パネル１７に取り付けて使用する場合には、モニター４１Ａの下端が上コンセント４２Ａよりも上側に位置するように、モニター取付金具を側面パネル１７に取り付ける。例えば、モニター取付金具の取付け位置は、高さ１５００ｍｍである。
【００４１】
図１８のように、上側の側面パネル１７に、モニター４１Ａや電源コンセント４２Ａ，４２Ｂ等のオプションを取り付けた際には、下側の側面パネル１８を取り外して配線作業を容易に行うことができる。
また、下側の側面パネル１８を取り外して、棚２，２の左右方向外方に位置する机１，１（図１８の机１，１の左方又は右方、例えば、図１８の紙面手前側に位置する、図示しない別の机１，１）を、連結具３，３を用いて棚２，２に固定することも容易である。
さらに、島エンド部に、図１９のような通常テーブブル４３、又は図２０のようなハイテーブル４４を配置し、モニター４１Ｂ、又は図示しないコーヒーメーカーや給茶機等を載置した例では、島エンド部を、ミーティングスペースやコミュニケーションスペースとして有効活用できる。
【符号の説明】
【００４２】
１  机                                  ２  棚
３  連結具                              ４  基部
４Ａ  通孔                              ５  掛止部
６  水平延出部                          ７  垂直板部
８  前延出板部                          ８Ａ  上面
９  取付ねじ                            １０Ａ  取付ねじ
１０Ｂ  ナット                          １１  天板
１１Ａ  側面                            １１Ｂ  螺孔
１２  脚板                              １３  幕板
１４  カバー                            １５  支柱間カバー
１６  支柱間塞ぎパネル                  １７，１８  側面パネル
１７Ａ  掛止穴                          １９  取付金具
１９Ａ  連結部                          １９Ｂ，１９Ｃ  上方突出片
１９Ｄ，１９Ｅ  下方突出片              ２０  キャップ
２１  前支柱                            ２１Ａ  掛止穴
２１Ｂ  通孔                            ２２  後支柱
２２Ａ  掛止穴                          ２３  天板
２４  間口ビーム                        ２５  下奥行ビーム
２６  背面パネル                        ２７  棚受
２７Ａ，２７Ｂ  掛止片                  ２８  棚板
２９  奥行ビーム                        ２９Ａ  上面
２９Ｂ  下面                            ２９Ｃ  スリット穴（掛止穴）
２９Ｄ  掛止片                          ２９Ｅ  通孔
３０  連結杆                            ３１  サイドパネル
３１Ａ  通孔                            ３２  取付金具
３２Ａ  通孔                            ３２Ｂ，３２Ｃ  通孔
３３  巾木                              ３４  取付ねじ
３５  ナット                            ３５Ａ  平座金
３６  取付ねじ                          ３７  ナット
３８  キャップ                          ３９  タッピングねじ
４０  アジャスター                      ４１Ａ，４１Ｂ  モニター
４２Ａ，４２Ｂ  電源コンセント          ４３  通常テーブル
４４  ハイテーブル
【図１】
2018079039.tif 000003
【図２】
2018079039.tif 000004
【図３】
2018079039.tif 000005
【図４】
2018079039.tif 000006
【図５】
2018079039.tif 000007
【図６】
2018079039.tif 000008
【図７】
2018079039.tif 000009
【図８】
2018079039.tif 000010
【図９】
2018079039.tif 000011
【図１０】
2018079039.tif 000012
【図１１】
2018079039.tif 000013
【図１２】
2018079039.tif 000014
【図１３】
2018079039.tif 000015
【図１４】
2018079039.tif 000016
【図１５】
2018079039.tif 000017
【図１６】
2018079039.tif 000018
【図１７】
2018079039.tif 000019
【図１８】
2018079039.tif 000020
【図１９】
2018079039.tif 000021
【図２０】
2018079039.tif 000022